(57)【要約】本発明の電気付着デバイス（１０）は、ベース（１２）と、ベース上の一方の側上に離れて位置する薄い導電性電極（１８）の第１バンク（１４）と、第２バンク（１６）とを含む。電気付着デバイスはまた、第１バンク（１４）、第２バンク（１６）上の絶縁カバー（２０）を含み、絶縁カバー（２０）の外側が電気付着表面を画定し、使用中電極（１８）に電圧がかけられ、引付ける物体が絶縁カバー（２０）に隣接しておかれると、物体は好適な高付着力により絶縁カバー（２０）に引付けられる。各電極（１８）の外面（２４）は、一方の側が直線の縁、反対側がシヌソイドの縁で、各電極（１８）の幅が電極（１８）の縦方向にシヌソイドに変化する。
2004503450.tif 000002
【特許請求の範囲】
【請求項１】
電気付着デバイスにおいて、
ベースと、
前記ベース上に、電気付着表面を画定するように相互に離れて置する少なくとも２つの導電性電極を備え、使用中に、前記電極に電圧がかけられ、引付ける物体を前記電気付着表面に隣接して置くとき、前記物体は好適な高付着力で前記電気付着表面に引付けられることを特徴とするデバイス。
【請求項２】
請求項１に記載の電気付着デバイスであって、前記電極は、前記ベースの一方の側に位置し、隣接する電極が電極対を形成し、使用中この電極対が反対極性を与えられるように電圧をかけられ、それによりその電極対に隣接する前記物体の部分に電荷の差を生じ、前記物体が前記電気付着表面に引付けられるようにするデバイス。
【請求項３】
請求項１に記載の電気付着デバイスであって、前記ベースが高誘電率（エプシロン）の物質でできているときは、前記電極は前記ベースの反対側に位置するデバイス。
【請求項４】
請求項３に記載の電気付着デバイスであって、前記ベースは少なくとも５の高誘電率（エプシロン）の物質でできているデバイス。
【請求項５】
請求項３又は４に記載の電気付着デバイスであって、電極対の電極は、前記ベースの反対側に位置し、使用中この電極対が反対極性を与えられるように電圧をかけられ、それによりその電極対に隣接する物体の一部に電荷の差を生じ、前記物体が前記電気付着表面に引付けられるようにするデバイス。
【請求項６】
請求項３乃至５の何れか１項に記載の電気付着デバイスであって、前記ベースの同じ側の電極が、前記ベースの反対側の電極と反対の極性を与えられ、それにより電極間の最大耐電圧を大きくしたデバイス。
【請求項７】
請求項１乃至６の何れか１項に記載の電気付着デバイスであって、各電極は、前記ベースから離れる方向を向く外面を有し、この外面が前記電気付着表面の少なくとも一部を形成し、この外面は任意の方向にこの外面から前記ベースまでの距離（この距離が前記電極の厚さである）より大きい寸法を有するデバイス。
【請求項８】
請求項７に記載の電気付着デバイスであって、各電極は非常に薄く、隣接する電極間の電荷の蓄積を制限するようになったデバイス。
【請求項９】
請求項８に記載の電気付着デバイスであって、各電極は５μｍより薄いデバイス。
【請求項１０】
請求項１乃至９の何れか１項に記載の電気付着デバイスであって、前記電極はシルクスクリーン電極であるデバイス。
【請求項１１】
請求項１乃至９の何れか１項に記載の電気付着デバイスであって、前記電極は真空蒸着電極であるデバイス。
【請求項１２】
請求項１乃至１１の何れか１項に記載の電気付着デバイスであって、前記電気付着デバイスは隣接する電極間にトラップされる空気ができるだけ少なくなるようにしたデバイス。
【請求項１３】
請求項１乃至１２の何れか１項に記載の電気付着デバイスであって、前記電極は、前記ベースの１つの側に実質的に相互に平行に位置する細長い電極であるデバイス。
【請求項１４】
請求項１乃至１３の何れか１項に記載の電気付着デバイスであって、隣接する電極は、フラッシュオーバーが起こらない前記電極間の最大耐電圧に関連付けられた最小距離だけ相互に離れて位置するデバイス。
【請求項１５】
請求項１４に記載の電気付着デバイスであって、フラッシュオーバーが起こらずに充分な電気付着力を達成するため、適当な電圧が電極対間に達成できるように、前記最小距離が選択されたデバイス。
【請求項１６】
請求項１乃至１５の何れか１項に記載の電気付着デバイスであって、隣接する電極は、前記最小距離と等しいかそれより大きい固定した距離又は変化する距離で、相互に離れて位置するデバイス。
【請求項１７】
請求項１乃至１６の何れか１項に記載の電気付着デバイスであって、前記電極はコーナーの鋭さを制限した形状で、フラッシュオーバーが起こる可能性が少なくなるようにしたデバイス。
【請求項１８】
請求項１乃至１７の何れか１項に記載の電気付着デバイスであって、前記電極の外面の形状は、前記引付ける物体の材料組成によって選択されるデバイス。
【請求項１９】
請求項１乃至１８の何れか１項に記載の電気付着デバイスであって、前記少なくとも１つの電極対の電極は、金属を引付けるため、大きい表面積の外面を有するデバイス。
【請求項２０】
請求項１９に記載の電気付着デバイスであって、金属用の電気付着デバイスは、１つの分離ギャップにより分離された２つの反対極性を与えられた電極を含むデバイス。
【請求項２１】
請求項１乃至１９の何れか１項に記載の電気付着デバイスであって、前記少なくとも１つの電極対の電極は、非金属を引付けるため、小さい表面積の外面を有するデバイス。
【請求項２２】
請求項１乃至２１の何れか１項に記載の電気付着デバイスであって、少なくとも１つの電極対の前記電極の前記外面は、表面積が変化するように形成し、使用中、引付ける物体が、金属と非金属を含む色々の材料の任意の１つでできていても、前記物体は材料にかかわらず好適な電気付着力で引付けられるデバイス。
【請求項２３】
請求項２２に記載の電気付着デバイスであって、前記電極の変化する表面積は、前記電極に沿って縦方向に繰り返すデバイス。
【請求項２４】
請求項２２又は２３に記載の電気付着デバイスであって、前記電極の前記外面は、一方の側が直線の縁、他方の側がシヌソイドの縁で、各電極の幅が前記電極の縦方向にシヌソイドに変化するデバイス。
【請求項２５】
請求項２４に記載の電気付着デバイスであって、前記電極は、１つの電極の前記シヌソイドの縁が隣接する電極の隣接するシヌソイドの縁と整列し、１つの電極の前記直線の縁が隣接する電極の隣接する直線の縁と整列するように構成し、隣接する電極間の最小距離がほぼ一定であるデバイス。
【請求項２６】
請求項１乃至２５の何れか１項に記載の電気付着デバイスであって、電極対の前記電極は、低電流高電圧で反対極性を与えられるデバイス。
【請求項２７】
請求項２６に記載の電気付着デバイスであって、前記電極はＤＣ電圧で極性を与えられるデバイス。
【請求項２８】
請求項２６又は２７に記載の電気付着デバイスであって、前記低電流は典型的には５μＡより小さく、比較的高電圧はＤＣ１５００Ｖより大きいデバイス。
【請求項２９】
請求項１乃至２８の何れか１項に記載の電気付着デバイスであって、前記ベースは、高バルク抵抗率を有し、前記電気付着デバイスからの漏れを最小限にするよう選択された物質でできているデバイス。
【請求項３０】
請求項２９に記載の電気付着デバイスであって、前記物質は少なくとも１０１６Ω／ｍの高バルク抵抗率を有するデバイス。
【請求項３１】
請求項１乃至３０の何れか１項に記載の電気付着デバイスであって、電極により形成された少なくとも１つの層と、前記ベースにより形成された層とを備えるデバイス。
【請求項３２】
請求項３１に記載の電気付着デバイスであって、前記ベースは、前記電気付着デバイスの層を画定するように薄いデバイス。
【請求項３３】
請求項１乃至３２の何れか１項に記載の電気付着デバイスであって、上に前記電極が位置する前記ベースの輪郭は、前記引付けられる物体の一部（前記電気付着表面に隣接して置かれる部分）の形状に対応する形状であるデバイス。
【請求項３４】
請求項３３に記載の電気付着デバイスであって、上に前記電極が位置する前記ベースの輪郭は、平面であるデバイス。
【請求項３５】
請求項１乃至３４の何れか１項に記載の電気付着デバイスであって、上に電極が位置するベースは滑らかであるデバイス。
【請求項３６】
請求項１乃至３４の何れか１項に記載の電気付着デバイスであって、前記ベースの滑らかさは、表面変化が０．０１μｍ以下であると定義されるデバイス。
【請求項３７】
請求項１乃至３６の何れか１項に記載の電気付着デバイスであって、前記電気付着デバイスは、前記電極の上に絶縁カバーを含み、前記絶縁カバーの外側が前記電気付着表面を画定するデバイス。
【請求項３８】
請求項３７に記載の電気付着デバイスであって、前記カバーはできるだけ薄いデバイス。
【請求項３９】
請求項３８に記載の電気付着デバイスであって、前記カバーは１００μｍより薄いデバイス。
【請求項４０】
請求項３７乃至３９の何れか１項に記載の電気付着デバイスであって、前記カバーは薄いフィルムの形であるデバイス。
【請求項４１】
請求項３７乃至３９の何れか１項に記載の電気付着デバイスであって、前記カバーはコーティングの形であるデバイス。
【請求項４２】
請求項３７乃至４１の何れか１項に記載の電気付着デバイスであって、前記カバーは高い表面相対抵抗率を有する物質で作られているデバイス。
【請求項４３】
請求項４２に記載の電気付着デバイスであって、前記カバーの抵抗率は１０１６Ωより大きいデバイス。
【請求項４４】
請求項３７乃至４３の何れか１項に記載の電気付着デバイスであって、前記カバーは高誘電率（エプシロン）を有する物質で作られているデバイス。
【請求項４５】
請求項４４に記載の電気付着デバイスであって、前記カバーは、少なくとも６の高誘電率（エプシロン）を有する物質で作られているデバイス。
【請求項４６】
請求項３７乃至４５の何れか１項に記載の電気付着デバイスであって、前記カバーは滑らかであるデバイス。
【請求項４７】
請求項４６に記載の電気付着デバイスであって、前記カバーの滑らかさは、表面変化が０．０１μｍ以下であると定義されるデバイス。
【請求項４８】
請求項１乃至４７の何れか１項に記載の電気付着デバイスであって、前記ベースは、請求項３７乃至４７の何れか１項に記載の絶縁カバーの形であるデバイス。
【請求項４９】
請求項４８に記載の電気付着デバイスであって、幾つかの前記電極は２つのカバーの間に挟まれ、前記電気付着デバイスが２つの電気付着表面を有するデバイス。
【請求項５０】
本発明の電気付着デバイスであって、明細書に一般的に記載した記載したデバイス。
【請求項５１】
図面を参照して記述した又は図面に例示した電気付着デバイス。
【請求項５２】
明細書に記載した新しく発明した又は発明の組み合わせを含む電気付着デバイス。
【発明の詳細な説明】
【０００１】
（発明の技術分野）
本発明は、電気付着デバイスに関する。
【０００２】
（発明の背景）
電気付着は、物体に電荷を作り、それにより物体を特定の表面に引付けるプロセスである。紙等の非磁性物体を引付けるための電気付着デバイスは、商業製品としては導入されてこなかった。その理由は、充分な付着力を生じず有効でないか、又はこれらのデバイスが複雑なので製造するのが高価だからである。
別の問題は、１つのデバイスで色々の材料を好適な力で引付ける付着デバイスを作るのが非常に難しいことである。
【０００３】
（発明の概要）
本発明によれば、電気付着デバイスであって、
ベースと、
前記ベース上に、電気付着表面を画定するように相互に離れて位置する少なくとも２つの導電性電極を備え、使用中に、前記電極に電圧がかけられ、引付ける物体を前記電気付着表面に隣接して置くとき、前記物体は好適な高付着力で前記電気付着表面に引付けられる電気付着デバイスが提供される。
【０００４】
電極は、ベースの一方の側に位置し、隣接する電極が電極対を形成し、使用中この電極対が反対極性を与えられるように電圧をかけられ、それによりその電極対に隣接する物体の部分に電荷の差を生じ、物体が電気付着表面に引付けられるようにしても良い。
【０００５】
ベースが高誘電率（エプシロン）典型的には少なくとも５の物質でできているときは、電極はベースの反対側に位置しても良い。電極対の電極は、ベースの反対側に位置し、使用中この電極対が反対極性を与えられ、その電極対に隣接する物体の一部に電荷の差を生じ、それにより物体が電気付着表面に引付けられるようにして良い。ベースの同じ側の電極が、ベースの反対側の電極と反対の極性を与えられ、それにより、電極間の最大耐電圧を大きくなるようにしても良い。
【０００６】
各電極は、ベースから離れる方向を向く外面を有し、この外面が電気付着表面の少なくとも一部を形成し、この外面が任意の方向にこの外面からベースまでの距離（この距離が電極の厚さである）より大きい寸法を有しても良い。電極は、典型的には、非常に薄く、隣接する電極間の電荷の蓄積を制限するようになっている。電極は、典型的には５μｍより薄い。
【０００７】
電極はシルクスクリーン電極でも良い。電極は真空蒸着電極でも良い。
電極付着デバイスは、隣接する電極間にトラップされる空気ができるだけ少なくなるように構成されていても良い。
電極は、ベースの１つの側上に実質的に相互に平行に位置する細長い電極であっても良い。
【０００８】
隣接する電極は、フラッシュオーバーが起こらない電極間の最大耐電圧に関連付けられた最小距離だけ、相互に離れて位置しても良い。電気付着力は電極対間の電圧に比例するので、フラッシュオーバーが起こらずに充分な電気付着力を達成するため、適当な電圧が電極対間に達成できるように、最小距離を選択しても良い。隣接する電極は、最小距離と等しいかそれより大きい固定した距離又は変化する距離で、相互に離れて位置しても良い。
【０００９】
電極はコーナーの鋭さを制限するような形状で、フラッシュオーバーが起こる可能性が少なくなるようにしても良い。
電極の外面の形状は、引付ける物体の材料組成によって、選択しても良い。
【００１０】
少なくとも１つの電極対の電極は、金属を引付けるため、大きい表面積の外面を有しても良い。典型的には、金属用の電気付着デバイスは、１つの分離ギャップにより分離された２つの反対極性を与えられた電極のみを含む。
少なくとも１つの電極対の電極は、非金属を引付けるため、小さい表面積の外面を有しても良い。
【００１１】
電極の外面は、表面積が変化するように形成し、使用中、引付ける物体が、金属と非金属を含む色々の材料の任意の１つでできていても、物体は材料にかかわらず好適な電気付着力で引付けられるようにしても良い。電極の変化する表面積は、電極に沿って縦方向に繰り返しても良い。少なくとも２つの電極の外面は、一方の側が直線の縁、他方の側がシヌソイドの縁で、各電極の幅が電極の縦方向にシヌソイドに変化するようにしても良い。
【００１２】
従って、電極は、１つの電極のシヌソイドの縁が隣接する電極の隣接するシヌソイドの縁と整列し、１つの電極の直線の縁が隣接する電極の隣接する直線の縁と整列するように構成し、隣接する電極間の最小距離がほぼ一定であるようにしても良い。
【００１３】
典型的には、電極対の電極は、低電流高電圧で反対極性を与えられる。電極はＤＣ電圧で極性を与えられても良い。低電流は典型的には５μＡより小さく、比較的高電圧はＤＣ１５００Ｖより大きい。
ベースは典型的には、電気付着デバイスからの漏れを最小限にするよう選択された物質たとえば、少なくとも１０１６Ω／ｍの高いバルク抵抗率を有する物質等でできている。
電気付着デバイスは、電極により形成された少なくとも１つの層と、ベースにより形成された層とを備えても良い。従って、ベースは、電気付着デバイスの層を画定するように、薄くても良い。
【００１４】
上に電極が位置するベースの輪郭が、典型的には電気付着表面の輪郭を決定する。従って、上に電極が位置するベースの輪郭は、引付けられる物体の一部（電気付着表面に隣接して置かれる部分）の形状に対応する形状としても良い。こうすると使用中、電気付着表面と引付ける物体の間の間隙を最小限にすることができる。
【００１５】
本発明の好適な実施の形態では、上に電極が位置するベースの輪郭は、典型的には平面であるが、他の実施の形態では任意の輪郭とすることができる。
上に電極が位置するベースは、典型的には滑らかである。このような滑らかさは、表面変化が０．０１μｍ以下と定義しても良い。
【００１６】
電気付着デバイスは、電極の上に絶縁カバーを含み、絶縁カバーの外側が電気付着表面を画定するようにしても良い。典型的には、電気付着力は電極と引付ける物体の間の距離に反比例するので、カバーはできるだけ薄くする。カバーは１００μｍより薄くても良い。
【００１７】
カバーは薄いフィルムの形でも良い。フィルムはラミネートとして適用しても良い。
カバーはコーティングの形でも良い。コーティングは、スプレー、浸漬、又は他の任意の好適な塗布手段で適用しても良い。
【００１８】
カバーは、典型的には高い表面相対抵抗率を有する物質で作られる。抵抗率は、典型的には１０１６Ωより大きい。
カバーは、典型的には少なくとも６の高誘電率（エプシロン）の物質で作っても良い。
カバーは滑らかでも良い。このような滑らかさは、表面変化が０．０１μｍ以下と定義しても良い。
【００１９】
ベースは、上述した絶縁カバーの形でも良い。従って、電極は２つのカバーの間に挟まれ、電気付着デバイスが２つの電気付着表面を有するようにしても良い。
本発明は、この明細書に記載した特定の実施の形態に限定されず、本発明の精神の範囲に入る全ての変形は本発明の範囲に含まれる。
【００２０】
（好適な実施形態）
本発明を、例示として図面を参照して記述する。
【００２１】
図面特に図１、２を参照する。本発明の電気付着デバイスの全体を参照番号１０で示す。電気付着デバイス１０は、ベース１２と、ベース１２上の一方の側上に離れて位置する薄い導電性電極１８の第１バンク１４と、第２バンク１６とを含む。電気付着デバイス１０はまた、第１バンク１４、第２バンク１６上の絶縁カバー２０を含み、絶縁カバー２０の外側が電気付着表面を画定し、使用中電極１８に電圧がかけられ、引付ける物体が絶縁カバー２０に隣接しておかれると、物体は好適な高付着力により絶縁カバー２０に引付けられる。
【００２２】
従って、電気付着デバイス１０は、電極１８により形成される層と、ベース１２により形成される層とを備え、ベース１２は電気付着デバイス１０の層を画定するように薄くなっている。
【００２３】
第１バンク１４と、第２バンク１６とは、ギャップ２２により分離されていて、このギャップは第１バンク１４と第２バンク１６の間の電荷の蓄積を防ぐためできるだけ小さくする。
ベース１２は、典型的には電気付着デバイス１０からの漏れを最小限にするような物質、例えば少なくとも１０１６Ω／ｍの高いバルク抵抗率を有する物質で作られている。
【００２４】
ベース１２の輪郭は、電気付着表面の輪郭を決める。従って、ベース１２の輪郭は、引付ける物体の電気付着表面に隣接して置かれる部分の形状に対応する形状となっている。こうすると使用中、電気付着表面と引付ける物体の間の間隙を最小限にすることができる。
【００２５】
本発明のこの実施の形態では、ベース１２の輪郭は平面であるが、他の実施の形態ではベース１２の輪郭は任意の輪郭とすることができる。
ベース１２は、表面変化が０．０１μｍ以下で滑らかである。
【００２６】
電気付着力は電極１８と引付けつける物体の間の距離に反比例するので、絶縁カバー２０はできるだけ薄くする。カバー２０は典型的には１００μｍより薄い。
カバー２０は、典型的には１０１６Ωより大きい高い表面相対抵抗率を有し、典型的には少なくとも６の高誘電率（エプシロン）を有する物質で作られる。カバー２０は、典型的にはナイロン６又はＰＶＣベース物質等のポリマーで作られる。
【００２７】
本発明のある実施の形態では、カバー２０はラミネートとして適用される薄いフィルムの形である。他の実施の形態では、カバー２０は、スプレー、浸漬、又は他の任意の好適な塗布手段で適用したエナメルコーティングの形である。
カバー２０は、表面変化が０．０１μｍ以下で滑らかである。
【００２８】
図３と４は、本発明の他の実施の形態の電気付着デバイスの全体を参照番号１０．１で示す。電気付着デバイス１０．１は、電気付着デバイス１０と実質的に近似し、特に示さない限り同じ又は近似した形態を示すのに同じ参照番号を使用する。本発明のこの実施の形態では、ベースは、上述したようの絶縁カバー２０．１の形である。従って、第１バンク１４、第２バンク１６は２つのカバー２０，２０．１の間に挟まれ、電気付着デバイス１０．１は２つの電気付着表面を含む。
【００２９】
図５は、本発明の好適な実施の形態による実質的に平行な細長い電極１８のバンク１４／１６を示す。隣接する電極１８は、電極対を形成し、使用中この電極対が反対極性を与えられるように電圧をかけられ、その電極対に隣接する物体の一部に電荷の差を生じ、それにより物体が電気付着表面に引付けられる。
【００３０】
各電極１８は、ベース１２から離れる方向を向く外面２４を有し、この外面２４が任意の方向にこの外面２４からベース１２までの距離（この距離が電極１８の厚さである）より大きい寸法を有する。各電極１８は、典型的には非常に薄く、隣接する電極１８間の電荷の蓄積を制限するようになっている。各電極１８は典型的には５μｍより薄い。
【００３１】
電極１８は典型的には、シルクスクリーン電極、又は真空蒸着電極である。
バンク１４／１６は、隣接する電極１８間にトラップされる空気ができるだけ少なくなるように構成されている。
【００３２】
隣接する電極１８は、フラッシュオーバーが起こらない電極１８間の最大耐電圧に関連付けられた一定の最小距離２６だけ、相互に離れている。電気付着力は隣接する電極間の電圧に比例するので、フラッシュオーバーが起こらずに充分な電気付着力を達成するため、適当な電圧が電極対間に達成できるように、最小距離２６を選択する。
【００３３】
電極１８はコーナーの鋭さを制限するような形状で、フラッシュオーバーが起こる可能性が少なくなるようになっている。
電極１８の外面２４の形状は、引付ける物体の材料組成によって選択される。
【００３４】
金属を引付けるためには、電極１８は大きい表面積の外面２４を有する。典型的には、金属用の電気付着デバイス１０，１０．１は、１つの分離ギャップ２２により分離された２つの反対極性を与えられた電極１８のみを含む。
非金属を引付けるためには、電極１８は小さい表面積の外面２４を有する。
【００３５】
この実施例では、電極１８の外面２４は、表面積が変化する形状であり、使用中、引付ける物体が、金属と非金属を含む色々の材料の任意の１つでできていても、物体は材料にかかわらず好適な電気付着力で引付けられる。従って、各電極１８の外面２４は、一方の側が直線の縁、反対側がシヌソイドの縁で、各電極１８の幅が電極１８の縦方向にシヌソイドに変化するようにし、それにより各電極１８の表面積の変化が電極１８に沿って縦方向に繰り返す。
従って、電極１８は、１つの電極１８．１のシヌソイドの縁が隣接する電極１８．２の隣接するシヌソイドの縁と整列し、１つの電極１８．１の直線の縁が隣接する電極１８．３の隣接する直線の縁と整列するように構成し、隣接する電極１８間の最小距離２６がほぼ一定であるようになっている。
【００３６】
第１バンク１４の端部の電極１８の１つの直線の縁は、ベース１２上の第２バンク１６の端部の電極１８の１つの直線の縁と平行に位置し、ギャップ２２を形成する。
本発明の他の実施の形態では、電極１８の形状と構成は、電気付着表面のある部分は金属のみを引付け、他の部分は非金属のみを引付け、更に他の部分は金属と非金属を引付けるようになっていても良く、又はこれらの２つの部分の任意の組み合わせでも良い。
【００３７】
典型的には、電極対の電極１８は、典型的には５μＡより小さい低ＤＣ電流、ＤＣ１５００Ｖより大きい高電圧で反対極性を与えられる。
【００３８】
本発明の他の実施の形態では、ベース１２が高誘電率（エプシロン）典型的には少なくとも５の物質でできているときは、電極１８はベース１２の反対側に位置しても良い。電極対の電極１８は、ベース１２の反対側に位置し、使用中この電極対が反対極性を与えられ、その電極対に隣接する物体の一部に電荷の差を生じ、それにより物体が電気付着表面に引付けられるようにして良い。ベース１２の同じ側の電極１８が、ベース１２の反対側の電極１８と反対の極性を与えられ、それにより、電極間の最大耐電圧を大きくなるようにし、電気付着表面上の不純物の効果を減少させるようにしても良い。
この実施の形態の電極対は、図面を参照して記述した電極対の特徴と同じ特徴を有するが、電極対の１つの電極１８は、ベース１２の反対側に位置する。従って、電極対の電極１８の横方向の関係は変わるが、電気付着表面に対して平面の関係は変わらない。
【００３９】
本発明の利点は、全ての範囲のコスト有効性が有り、色々の電気付着デバイスを設計し、製造し、販売できることである。また別の利点は、広い範囲の物体が、デバイスの電気付着表面上に保持するのに充分な力で電気付着デバイスに引付けられることである。
【図面の簡単な説明】
【図１】
本発明による電気付着デバイスの斜視図である。
【図２】
図１の電気付着デバイスの側面図である。
【図３】
本発明による絶縁カバーの形のベースを有する電気付着デバイスの斜視図である。
【図４】
図３の電気付着デバイスの側面図である。
【図５】
本発明の１実施の形態の電気付着デバイスの電極のバンクの概略図であり、電極の外面は変化する表面積を有する形状で、使用中引付ける物体は金属と非金属を含む色々の材料の任意の１つで作ることができるようになっている。
【国際公開パンフレット】
2004503450.tif 000003
2004503450.tif 000004
2004503450.tif 000005
2004503450.tif 000006
2004503450.tif 000007
2004503450.tif 000008
2004503450.tif 000009
2004503450.tif 000010
2004503450.tif 000011
2004503450.tif 000012
2004503450.tif 000013
2004503450.tif 000014
2004503450.tif 000015
2004503450.tif 000016
2004503450.tif 000017
2004503450.tif 000018
2004503450.tif 000019
2004503450.tif 000020
2004503450.tif 000021
2004503450.tif 000022
2004503450.tif 000023
2004503450.tif 000024
【国際公開パンフレット（コレクトバージョン）】
2004503450.tif 000025
【手続補正書】
【提出日】平成14年9月27日(2002.9.27)
【手続補正１】
【補正対象書類名】明細書
【補正対象項目名】特許請求の範囲
【補正方法】変更
【補正の内容】
【特許請求の範囲】
【請求項１】
電気付着デバイスにおいて、
ベースと、
前記ベース上に相互に離れて位置する少なくとも２つの導電性電極を備えて、電気付着表面を画定する少なくとも１つの電極対を形成し、少なくとも１つの電極対の電極の外面は変化する表面積を有する形状であり、使用中に前記電極に電圧がかけられ、引付ける物体を前記電気付着表面に隣接して置くとき、前記物体は、前記物体が作られている材料の種類によらず好適な高付着力で前記電気付着表面に引付けられ、従って前記引付ける物体は金属と非金属を含む色々の材料の任意の１つで作ることができることを特徴とするデバイス。
【請求項２】
請求項１に記載の電気付着デバイスであって、前記電極は、前記ベースの一方の側に位置し、隣接する電極が電極対を形成し、使用中この電極対が反対極性を与えられるように電圧をかけられ、それによりその電極対に隣接する前記物体の部分に電荷の差を生じ、前記物体が前記電気付着表面に引付けられるようにするデバイス。
【請求項３】
請求項１に記載の電気付着デバイスであって、前記ベースが高誘電率（エプシロン）の物質でできているときは、前記電極は前記ベースの反対側に位置するデバイス。
【請求項４】
請求項３に記載の電気付着デバイスであって、前記ベースは少なくとも５の高誘電率（エプシロン）の物質でできているデバイス。
【請求項５】
請求項３又は４に記載の電気付着デバイスであって、電極対の電極は、前記ベースの反対側に位置し、使用中この電極対が反対極性を与えられるように電圧をかけられ、それによりその電極対に隣接する物体の一部に電荷の差を生じ、前記物体が前記電気付着表面に引付けられるようにするデバイス。
【請求項６】
請求項３乃至５の何れか１項に記載の電気付着デバイスであって、前記ベースの同じ側の電極が、前記ベースの反対側の電極と反対の極性を与えられ、それにより電極間の最大耐電圧を大きくしたデバイス。
【請求項７】
請求項１乃至６の何れか１項に記載の電気付着デバイスであって、各電極は、前記ベースから離れる方向を向く外面を有し、この外面が前記電気付着表面の少なくとも一部を形成し、この外面は任意の方向にこの外面から前記ベースまでの距離（この距離が前記電極の厚さである）より大きい寸法を有するデバイス。
【請求項８】
請求項１乃至７の何れか１項に記載の電気付着デバイスであって、前記電極はシルクスクリーン電極であるデバイス。
【請求項９】
請求項１乃至８の何れか１項に記載の電気付着デバイスであって、前記電気付着デバイスは隣接する電極間にトラップされる空気ができるだけ少なくなるようにしたデバイス。
【請求項１０】
請求項１乃至９の何れか１項に記載の電気付着デバイスであって、前記電極は、前記ベースの１つの側に実質的に相互に平行に位置する細長い電極であるデバイス。
【請求項１１】
請求項１乃至１０の何れか１項に記載の電気付着デバイスであって、隣接する電極は、フラッシュオーバーが起こらない前記電極間の最大耐電圧に関連付けられた最小距離だけ相互に離れて位置するデバイス。
【請求項１２】
請求項１１に記載の電気付着デバイスであって、フラッシュオーバーが起こらずに充分な電気付着力を達成するため、適当な電圧が電極対間に達成できるように、前記最小距離が選択されたデバイス。
【請求項１３】
請求項１乃至１２の何れか１項に記載の電気付着デバイスであって、隣接する電極は、前記最小距離と等しいかそれより大きい固定した距離又は変化する距離で、相互に離れて位置するデバイス。
【請求項１４】
請求項１乃至１３の何れか１項に記載の電気付着デバイスであって、前記電極はコーナーの鋭さを制限した形状で、フラッシュオーバーが起こる可能性が少なくなるようにしたデバイス。
【請求項１５】
請求項１乃至１４の何れか１項に記載の電気付着デバイスであって、前記電極の外面の形状は、前記引付ける物体の材料組成によって選択されるデバイス。
【請求項１６】
請求項１乃至１５の何れか１項に記載の電気付着デバイスであって、前記電極の変化する表面積は、前記電極に沿って縦方向に繰り返すデバイス。
【請求項１７】
請求項１乃至１６の何れか１項に記載の電気付着デバイスであって、前記電極の前記外面は、一方の側が直線の縁、他方の側がシヌソイドの縁で、各電極の幅が前記電極の縦方向にシヌソイドに変化するデバイス。
【請求項１８】
請求項１７に記載の電気付着デバイスであって、前記電極は、１つの電極の前記シヌソイドの縁が隣接する電極の隣接するシヌソイドの縁と整列し、１つの電極の前記直線の縁が隣接する電極の隣接する直線の縁と整列するように構成し、隣接する電極間の最小距離がほぼ一定であるデバイス。
【請求項１９】
請求項１乃至１８の何れか１項に記載の電気付着デバイスであって、電極対の前記電極は、低電流高電圧で反対極性を与えられるデバイス。
【請求項２０】
請求項１９に記載の電気付着デバイスであって、前記低電流は典型的には５μＡより小さく、比較的高電圧はＤＣ１５００Ｖより大きいデバイス。
【請求項２１】
請求項１乃至２０の何れか１項に記載の電気付着デバイスであって、電極により形成された少なくとも１つの層と、前記ベースにより形成された層とを備え、前記ベースは、前記電気付着デバイスの層を画定するように薄いデバイス。
【請求項２２】
請求項１乃至２１の何れか１項に記載の電気付着デバイスであって、上に前記電極が位置する前記ベースの輪郭は、前記引付けられる物体の一部（前記電気付着表面に隣接して置かれる部分）の形状に対応する形状であるデバイス。
【請求項２３】
請求項１乃至２２の何れか１項に記載の電気付着デバイスであって、前記電気付着デバイスは、前記電極の上に絶縁カバーを含み、前記絶縁カバーの外側が前記電気付着表面を画定するデバイス。
【請求項２４】
請求項２３に記載の電気付着デバイスであって、前記カバーはできるだけ薄いデバイス。
【請求項２５】
請求項２４に記載の電気付着デバイスであって、前記カバーは１００μｍより薄いデバイス。
【請求項２６】
請求項２３乃至２５の何れか１項に記載の電気付着デバイスであって、前記カバーは薄いフィルムの形であるデバイス。
【請求項２７】
請求項２３乃至２５の何れか１項に記載の電気付着デバイスであって、前記カバーはコーティングの形であるデバイス。
【請求項２８】
請求項２３乃至２７の何れか１項に記載の電気付着デバイスであって、前記カバーは高い表面相対抵抗率を有する物質で作られているデバイス。
【請求項２９】
請求項２３乃至２８の何れか１項に記載の電気付着デバイスであって、前記カバーは高誘電率（エプシロン）を有する物質で作られているデバイス。
【請求項３０】
請求項２３乃至２９の何れか１項に記載の電気付着デバイスであって、前記カバーは滑らかであるデバイス。
【請求項３１】
請求項１乃至３０の何れか１項に記載の電気付着デバイスであって、前記ベースは、請求項３７乃至４７の何れか１項に記載の絶縁カバーの形であるデバイス。
【請求項３２】
請求項３１に記載の電気付着デバイスであって、幾つかの前記電極は２つのカバーの間に挟まれ、前記電気付着デバイスが２つの電気付着表面を有するデバイス。
【請求項３３】
本発明の電気付着デバイスであって、明細書に一般的に記載したデバイス。
【請求項３４】
明細書に記載した図面を参照して記述した又は図面に例示した電気付着デバイス。
【国際調査報告】
2004503450.tif 000026
2004503450.tif 000027